(57)【特許請求の範囲】
【請求項１】
先端に形成された環状溝を有する釣り用リールの軸部材に対してワンタッチで着脱可能な釣り用リール部品であって、
前記軸部材が貫通する貫通部と、前記軸部材が貫通する端面に形成された装着空間とを有する部品本体と、
前記環状溝に係止されるように対向して配置された１対の係止部を有し、前記装着空間に装着されたばね部材と、
前記ばね部材を抜け止めするために前記装着空間を覆うように前記部品本体に固定された蓋部材と、
前記蓋部材に軸方向移動自在に装着され、前記蓋部材の中心から外方に露出する押圧操作部と、前記押圧操作部に軸方向に突出して設けられ前記係止部の間に先端が挿入されかつ軸方向の移動により前記１対の係止部の間隔を拡げるように前記軸部材を挟んで配置される先細りの１対のテーパ部とを有し、前記押圧操作部の押圧操作により前記軸部材の環状溝と前記ばね部材との係合を解除するためのプッシュボタンと、
前記１対のテーパ部がそれぞれ通過可能な１対の第１通過孔を有し、前記ばね部材を前記蓋部材との間に配置するばね配置部材と、を備え、
前記ばね配置部材は、前記部品本体を前記軸部材に回転自在に支持するための軸受である、釣り用リール部品。
【請求項２】
前記装着空間は、前記貫通部と同芯に円形に形成され、
前記ばね部材は、弾性線材製であり、前記両係止部の一端を前記係止部の他端を回り込んで連結するＣ字状の連結部をさらに有する、請求項１に記載の釣り用リール部品。
【請求項３】
前記押圧操作部は、前記蓋部材に軸方向移動自在に装着され少なくとも一部が前記軸部材の外周側に配置される筒状部と、前記筒状部の一端に一体形成され前記蓋部材の中心から外部に露出する底部とを有し、
前記１対のテーパ部は、前記筒状部の一部を切り欠いて形成されている、請求項１又は２に記載の釣り用リール部品。
【請求項４】
前記プッシュボタンは、前記１対のテーパ部の間に前記テーパ部と周方向に間隔を隔てて配置された１対のガイド部をさらに有し、
前記ばね配置部材は、前記１対のガイド部がそれぞれ通過可能な１対の第２通過孔をさらに有する、請求項１から３のいずれか１項に記載の釣り用リール部品。
【請求項５】
前記ばね配置部材は、前記部品本体に回り止めされた状態で装着され、
前記第２通過孔は、前記１対のテーパ部の先端が前記ばね部材の係止部の間に配置されるように前記ガイド部の周方向位置を制限する、請求項４に記載の釣り用リール部品。
【請求項６】
前記ばね配置部材は、前記ばね部材の周方向位置を位置決めして前記装着空間に配置可能な複数の位置決め突起を有する、請求項１から５のいずれか１項に記載の釣り用リール部品。
【請求項７】
前記プッシュボタンは、前記筒状部の他端に形成され、前記蓋部材から外方に前記プッシュボタンが抜けないようにするための抜け止め突起をさらに有する、請求項１から６のいずれか１項に記載の釣り用リール部品。
【請求項８】
前記軸部材は、前記釣り用リールとしての片軸受リールのリール本体に固定に装着されたスプール軸であり、
前記部品本体は、前記スプール軸に回転自在かつ着脱自在に装着され外周に釣り糸が巻き付けられる片軸受リールのスプール本体である、請求項１から７のいずれかに記載の釣り用リール部品。
【発明の詳細な説明】
【技術分野】
【０００１】
本発明は、リール部品、特に、先端に形成された環状溝を有する釣り用リールの軸部材に対してワンタッチで着脱可能な釣り用リール部品に関する。
【背景技術】
【０００２】
たとえばスピニングリールのスプール（釣り用リール部品の一例）には、スプール軸（軸部材の一例）に対して、プッシュボタンの押圧操作によりワンタッチで着脱可能なものが知られている（たとえば、特許文献１参照）。従来のワンタッチ着脱可能なスプールは、先端に形成された先細りのテーパ面とテーパ面より奥側に形成された環状溝とを有するスプール軸に着脱可能に装着されている。
【０００３】
一方、片軸受リールのスプール（釣り用リール部品の一例）には、スプール軸（軸部材の一例）に対して、レバーの揺動操作によりワンタッチで着脱可能なものが知られている（たとえば、特許文献２参照）。
【０００４】
前者の従来技術では、スプールは、スプール軸が貫通する貫通部及びスプロケットー軸が貫通する端面に形成された装着空間を有するスプール本体と、装着空間に配置されスプール軸の環状溝に係合可能なばね部材と、ばね部材を抜け止めするためにスプール本体の前部に装着された蓋部材と、ばね部材を環状溝から離脱する離脱状態にするための押圧操作用のプッシュボタンとを備えている。
【０００５】
装着空間は、貫通部と同芯に配置された円形の空間である。ばね部材は、弾性線材を折り曲げて形成されたものであり、環状溝に係止されるように対向して配置された１対の係止部と、両係止部の一端を係止部の他端を回り込んで連結するＣ字状の連結部とを有している。ばね部材は、環状溝に係止されるとともに、プッシュボタンを押圧方向と逆方向に付勢する。
【０００６】
プッシュボタンは、スプール軸の外周側に装着され環状溝を通過可能に装着空間に前後移動自在に装着されている。プッシュボタンは、係止部の間に装着されかつ軸方向の移動により１対の係止部の間隔を拡げるように一端に形成された１対のテーパ部と、蓋部材の中心から外方に露出する押圧操作部とを有し、押圧操作部の押圧操作により軸部材の環状溝とばね部材との係合を解除するためのものである。押圧操作部は、有底筒状の部材であり、１対のテーパ部は、押圧操作部より小径でスプール軸より大径の内径を有し押圧操作部の底部から延びる筒状部の先端から末広がりに山形に斜めに切断したような形状である。１対のテーパ部は、装着時にはスプール軸を挟んで対向して配置される。テーパ部の先端は、ばね部材により付勢された状態で１対の係止部の間に挿入されている。蓋部材は、スプール本体に対してたとえばねじ込み固定されており、プッシュボタンも抜け止めしている。
【０００７】
このプッシュボタンをスプール軸に向かって押圧することによりテーパ部によりばね部材の係止部の間隔を拡げてスプール軸との係合を解除し、スプールを着脱可能な状態にする。この状態でスプールをスプール軸から外すことができる。また、１対の係止部がテーパ部によって拡げられると、係止部は互いに近づく方向にテーパ部に力を作用させるので、押圧操作部は押圧方向と逆方向に付勢される。このため、押圧操作を止めると、プッシュボタンは逆方向に移動し、１対の係止部は係止可能状態に戻る。
【０００８】
スプールをスプール軸に装着する際には、スプール軸のテーパ面によりばね部材の係止部が拡げられ、ばね部材が環状溝に位置すると係止部が環状溝内にはまり込んでスプールをスプール軸に対して抜け止めする。
【０００９】
後者の従来の構造では、スプールの支持する軸受の先端側でスプール軸に環状溝が形成されている。そして係合溝に係合する係止位置と離反する離反位置とに揺動自在にレバー部材をスプール本体に設け、スプール外部に露出する把手部をレバー部材に設け、把手部を手で操作してレバー部材を離反位置に揺動させ、スプールをスプール軸から外している。レバー部材は、板ばねにより係止位置側に付勢されている。このような後者の構造は、レバー部材を揺動させてスプールを外す操作を行えるので、スプール軸方向の長さは比較的短くて済む。しかし、揺動操作が必要なため、プッシュボタンによる着脱操作に比べて着脱操作を行いにくい。
【特許文献１】実開平０６−０６８４４７号公報
【特許文献２】特開２０００−２０１６００号公報
【発明の開示】
【発明が解決しようとする課題】
【００１０】
前者の従来技術のような着脱操作が容易なプッシュボタンによりスプールをワンタッチで着脱自在な機構を、後者の片軸受リールのスプールの着脱構造に適用すると、スプールの軸方向長さが長くなる。すなわち、プッシュボタンを用いた着脱構造では、テーパ部を有し軸方向に長いプッシュボタンをさらに軸方向に移動させなければならないため、着脱構造の軸方向長さが長くなる。このような着脱機構を軸受の軸方向先端側に配置しなければならないため、プッシュボタンがスプールの端面から突出するおそれがある。
【００１１】
本発明の課題は、プッシュボタンの操作によりワンタッチで着脱可能な釣り用リール部品において、着脱構造の軸方向長さを短くすることにある。
【課題を解決するための手段】
【００１２】
発明１に係る釣り用リール部品は、先端に形成された環状溝を有する釣り用リールの軸部材に対してワンタッチで着脱可能な部品であって、部品本体と、ばね部材と、蓋部材と、プッシュボタンと、ばね配置部材とを備えている。部品本体は、軸部材が貫通する貫通部と、軸部材が貫通する端面に形成された装着空間とを有するものである。ばね部材は、環状溝に係止されるように対向して配置された１対の係止部を有し、装着空間に装着された部材である。蓋部材は、ばね部材を抜け止めするために装着空間を覆うように部品本体に固定された部材である。プッシュボタンは、蓋部材に軸方向移動自在に装着され、蓋部材の中心から外方に露出する押圧操作部と、押圧操作部に軸方向に突出して設けられ係止部の間に先端が挿入されかつ軸方向の移動により１対の係止部の間隔を拡げるように軸部材を挟んで配置される先細りの１対のテーパ部とを有し、押圧操作部の押圧操作により軸部材の環状溝とばね部材との係合を解除するためのボタンである。ばね配置部材は、１対のテーパ部がそれぞれ通過可能な第１通過孔を有し、ばね部材を蓋部材との間に配置する部材である。ばね配置部材は、部品本体を軸部材に回転自在に支持するための軸受である。
【００１３】
この釣り用リール部品では、たとえば軸受として機能するばね配置部材が軸部材に設けられていても、プッシュボタンの１対のテーパ部がばね配置部材の第１通過孔を通過して配置されている。そして、このばね配置部材と蓋部材との間に配置されたばね部材の係止部がプッシュボタンの押圧操作によりテーパ部により開かれて環状溝から外れ、釣り用リール部品を軸部材から外すことができる。ここでは、１対のテーパ部がばね配置部材を貫通できるようにばね配置部材に第１通過孔を形成したので、ばね配置部材の第１通過孔を貫通してテーパ部を配置することにより、ばね配置部材とプッシュボタンとを軸方向に重ねて配置することができ、プッシュボタンによる着脱構造の軸方向長さを短くすることができる。
【００１４】
また、軸受により部品本体を回転自在に支持しても、着脱構造の軸方向長さを短くすることができる。
【００１５】
発明２に係る釣り用リール部品は、発明１に記載のリール部品において、装着空間は、貫通部と同芯に円形に形成され、ばね部材は、弾性線材製であり、両係止部の一端を係止部の他端を回り込んで連結するＣ字状の連結部をさらに有する。この場合には、１対の係止部がＣ字状の連結部により連結されるのでばね部材が略円形になるとともに、装着空間が貫通部と同芯に形成された円形であるので、係止部が軸部材の環状溝に係止されるばね部材を装着空間に装着しやすくなる。
【００１６】
発明３に係る釣り用リール部品は、発明１又は２に記載の部品において、押圧操作部は、蓋部材に軸方向移動自在に装着され少なくとも一部が軸部材の外周側に配置される筒状部と、筒状部の一端に一体形成され蓋部材の中心から外部に露出する底部とを有し、１対のテーパ部は、筒状部の一部を切り欠いて形成されている。この場合には、テーパ部をプッシュボタンの筒状部に形成したので、筒状部と別にテーパ部を設ける構成に比べてプッシュボタンの軸方向長さが短くなり、プッシュボタンによる着脱構造の軸方向長さをさらに短くすることができる。
【００１７】
発明４に係る釣り用リール部品は、発明１から３のいずれかに記載のリール部品において、プッシュボタンは、１対のテーパ部の間にテーパ部と周方向に間隔を隔てて配置された１対のガイド部をさらに有し、ばね配置部材は、１対のガイド部がそれぞれ通過可能な１対の第２通過孔をさらに有する。この場合には、プッシュボタンがガイド部でも蓋部材に支持されるのでプッシュボタンの軸方向の動きがよりスムーズになる。
【００１８】
発明５に係る釣り用リール部品は、発明４に記載のリール部品において、ばね配置部材は、部品本体に回り止めされた状態で装着され、第２通過孔は、１対のテーパ部の先端がばね部材の係止部の間に配置されるようにガイド部の周方向位置を制限する。この場合には、ばね配置部材が部品本体に所定の周方向位置で装着され、さらにガイド部の周方向位置が第２通過孔により制限されるので、ガイド部を第２連結孔に通すと、１対のテーパ部が一定の周方向位置に配置される。このため、組立時にばね部材の係止部の間にテーパ部を配置しやすくなる。
【００１９】
発明６に係る釣り用リール部品は、発明１から５のいずれかに記載のリール部品において、ばね配置部材は、ばね部材の周方向位置を位置決めして前記装着空間に配置可能な複数の位置決め突起を有する。この場合には、ばね部材の周方向位置が所定の位相に定まるので、組立時にばね部材の係止部の間にテーパ部を配置しやすくなる。特に、テーパ部を一定の周方向位置に配置できるように規制すると、ばね部材を配置した後にプッシュボタンを配置するだけでテーパ部を係止部の間に配置することができ、さらに組立しやすくなる。
【００２０】
発明７に係る釣り用リール部品は、発明１から６のいずれかに記載のリール部品において、プッシュボタンは、筒状部の他端に形成され、蓋部材から外方にプッシュボタンが抜けないようにするための抜け止め突起をさらに有する。この場合には、プッシュボタンがばね部材により抜ける方向に付勢されても、プッシュボタンが蓋部材から抜けなくなる。
【００２１】
発明８に係る釣り用リール部品は、発明１から７のいずれかに記載のリール部品において、軸部材は、釣り用リールとしての片軸受リールのリール本体に固定に装着されたスプール軸であり、部品本体は、スプール軸に回転自在かつ着脱自在に装着され外周に釣り糸が巻き付けられる片軸受リールのスプール本体である。この場合には、片軸受リールにプッシュボタンによる着脱構造を採用しても、着脱構造の軸方向長さが短くなるので、プッシュボタンがスプールの端面から突出しなくなる。
【発明の効果】
【００２２】
本発明によれば、１対のテーパ部がばね配置部材を貫通できるようにばね配置部材に第１通過孔を形成したので、ばね配置部材の第１通過孔を貫通してテーパ部を配置することにより、ばね配置部材とプッシュボタンとを軸方向に重ねて配置することができ、プッシュボタンによる着脱構造の軸方向長さを短くすることができる。
【発明を実施するための最良の形態】
【００２３】
〔全体の構成〕
図１から図３は、本発明の一実施形態による片軸受リールを示している。図１から図３において片軸受リールは、リール本体１と、リール本体１に片持ち支持されたスプール軸（軸部材の一例）２と、スプール軸２に対して相対回転自在に配置され外周に釣り糸が巻かれるスプール（釣り用リール部品の一例）３と、スプール３の一方向の回転を制動するドラグ機構４と、を備えている。
【００２４】
〔リール本体の構成〕
リール本体１は、一方側（図２左側）に円盤状の側板１０を有し、他方側は開放されている。側板１０の外周には、軸方向に延びる上下１対の保護部１１ａ，１１ｂが円周方向に所定の間隔で形成されている。上側の保護部１１ａには、この片軸受リールを釣り竿に取り付けるための取付部１２が設けられている。側板１０の中心部には、図４に示すように、スプール軸２を固定するための雌ねじ孔１０ａが形成されている。また、雌ねじ孔１０ａの外周側の内側面には、雌ねじ孔１０ａと同芯に筒状のドラグ収納部１０ｂが形成されている。ドラグ収納部１０ｂには、直径上に１対のスリット１０ｃ，１０ｃが形成されている。ドラグ収納部１０ｂのスリット形成部分の内周面には、環状のドラグ係止溝１０ｄが形成されている。
【００２５】
〔スプール軸の構成〕
スプール軸２は、図４に示すように、その基端端がリール本体１の側板１０の中心部に形成されて雌ねじ孔１０ａにねじ込み固定されている。スプール軸２の基端部には、側板１０の雌ねじ孔１０ａに螺合する雄ねじ部２ａが形成されている。この雄ねじ部２ａは、リール本体１の側板１０の中心部から外方に突出している。また、スプール軸２の先端には、第１環状溝２ｂと、第１環状溝２ｂより大径で先端が先細りの頭部２ｃとが形成されている。第１環状溝２ｂに隣接してスプール軸２の先端部を支持する滑り軸受２１が装着される軸受支持部２ｄが形成されている。また、軸受支持部２ｄの基端側は、軸受支持部２ｄより大径に形成され、そこには、第２環状溝２ｅが形成されている。また、その基端側には雄ねじ部２ａに隣接して互いに平行な面取り部２ｆが形成されている。この面取り部２ｆにスパナなどの工具を係止してスプール軸２を側板１０にねじ込むことができる。
【００２６】
〔スプールの構成〕
スプール３は、図１から図４に示すように、スプール本体（部品本体の一例）５と、スプール本体５をワンタッチでスプール軸２から取り外すためのワンタッチ着脱機構６とを有している。スプール本体５は、筒状の糸巻き胴部１５と、糸巻き胴部１５の一端部に糸巻き胴部１５と一体で形成された円盤状の内フランジ１６ａと、糸巻き胴部１５の他端部にリール本体１の開放部を覆うように一体で形成された外フランジ１６ｂと、糸巻き胴部１５の内周側に配置されるボス部１７と、糸巻き胴部１５とボス部１７とを連結する円板状の連結部１８とを有している。糸巻き胴部１５、内フランジ１６ａ、外フランジ１６ｂ及び連結部１８には、軽量化を図るとともに意匠性を向上させるための複数の円形の抜き孔が形成されている。内フランジ１６ａはリール本体１の側板１０と対向するように形成されている。外フランジ１６ｂは、内フランジ１６ａより大径に形成され、その外側面には、ハンドル１６ｃと、ハンドル１６ｃと中心対称に配置されたバランスウェイト１６ｄとが装着されている。
【００２７】
ボス部１７は、スプール軸２が貫通可能な貫通孔１７ｄを有する筒状の部材であり、先端側はワンタッチ着脱機構６を構成する蓋部材３１で塞がれている。ボス部１７は、スプール軸２が貫通する先端面に貫通孔１７ｄと同芯に形成された円形の装着空間１７ｅを有している。ボス部１７の先端部外周面には、雄ねじ部１７ａが形成されている。ボス部１７の貫通孔１７ｄには、図５に示すように、直径上に配置され軸方向の全長にわたり形成された２つの第１係止溝１７ｂと、ボス部１７の基端部（図４左端）から軸方向の途中まで形成された４つの第２係止溝１７ｃとが形成されている。この第１係止溝１７ｂ及び第２係止溝１７ｃは、周方向の６等配された位置に形成されている。第１及び第２係止溝１７ｂ，１７ｃは、後述するローラクラッチ２３の外輪２５を回り止めするとともに、第１係止溝１７ｂは、後述する滑り軸受２１を回り止めする。また、軸方向の途中まで形成された第２係止溝１７ｃは、ローラクラッチ２３の軸方向位置を位置決め可能である。スプール３は、ボス部１７の基端部に装着された玉軸受２２と、ボス部１７の先端部に装着された滑り軸受２１とによりスプール軸２に回転自在に装着されている。また、両軸受２１，２２の間には、ローラクラッチ２３が装着されている。
【００２８】
〔ローラクラッチの構成〕
ローラクラッチ２３は、スプール３に着脱自在に装着され、ドラグ機構４が糸繰り出し方向でのみ作動するように設けられている。ローラクラッチ２３は、図４に示すように、ボス部１７の内周面に形成された第１及び第２係止溝１７ｂ，１７ｃに回転不能に装着された外輪２５と、スプール軸２に回転自在に装着された内輪２６と、両輪２５，２６の間に両者に接触可能に配置された、たとえば６つのローラ２７とを有する内輪遊転形のワンウェイクラッチである。ローラ２７は、図示しない保持器により外輪２５内に装着されている。
【００２９】
外輪２５は、両端が内方に湾曲した金属製の筒状部材であり、その内周面には、外方に凸に湾曲したカム面（図示せず）が形成されている。カム面は、一端側でローラ２７が内輪２６と外輪２５との間に食い込み、他端側で両輪２５，２６から離れるように形成されている。外輪２５の外周面には、カム面が形成された位置に係止突起２５ｂが形成されている。係止突起２５ｂは、ボス部１７の内周面に形成された６つの係止溝１７ｂ，１７ｃに回転不能に係止される突起である。この係止突起２５ｂの形状は、ボス部１７の係止溝１７ｂ，１７ｃに回転不能に係止される構造であれば、ボス部１７に面で接触しても点で接触してもよい。
【００３０】
内輪２６は、金属製の筒状部材であり、外輪２５より長く側板１０側に突出している。内輪２６の突出端には、図３及び図４に示すように、軸方向に突出する１対の係止突起２６ａが形成されている。この係止突起２６ａは、ドラグ機構４を内輪２６に回転不能に連結するために設けられている。内輪２６は、スプール軸２にはめ込まれた止め輪２４とリール本体１の側板１０の壁面とにより軸方向の移動が規制されている。また、内輪２６の先端部には、外輪２５の軸方向の移動を規制する断面が矩形の弾性体製のＯリング２８が装着される環状凹部２６ｂが形成されている。Ｏリング２８の外径は、外輪２５に当接可能な径である。環状凹部２６ｂは、先端側（図４右側）の壁面がスプール軸２と直交する平面であり、基端側（図４左側）の壁面がなだらかなテーパ面となっている。
【００３１】
ローラクラッチ２３は、スプール３の取り外し時には、玉軸受２２とともにスプール軸２に残っている。また、左巻きと右巻きとでローラクラッチ２３の逆転禁止方向を変更する際には、Ｏリング２８を環状凹部２６ｂから取り外すことにより、内輪２６から外輪２５及びローラ２７を一体でスプール軸２から取り外すことができる。この状態で図４の左右を反転して外輪２５及びローラ２７を内輪２６に組み込み、Ｏリング２８を環状凹部２６ｂに再度装着することにより外輪２５が抜け止めされ、反転前と逆方向の回転が禁止される。
【００３２】
〔ワンタッチ着脱機構の構成〕
ワンタッチ着脱機構６は、図３，図４及び図６に示すように、スプール軸２の第１環状溝２ｂに係止される弾性線材製のばね部材３０と、ばね部材３０を抜け止めするために装着空間１７ｅを覆うようにボス部１７の先端にねじ込み固定された蓋部材３１と、蓋部材３１に軸方向移動自在に装着されたプッシュボタン３２と、ばね部材３０を蓋部材３１との間に配置するためのばね配置部材として機能する前述した滑り軸受２１とを有している。
【００３３】
ばね部材３０は、スプール３をスプール軸２に軸方向移動不能に装着するためのばねである。また、ばね部材３０は、プッシュボタン３２を前方（図４右方）へ付勢する機能も有している。ばね部材３０は、弾性線材を折り曲げて形成されたものであり、変形したときに付勢力が生じるようになっている。ばね部材３０は、図６に示すように、第１環状溝２ｂに係止されるように対向して配置された直線状の１対の係止部３０ａ，３０ｂと、両係止部３０ａ，３０ｂの一端から折れ曲がって両係止部３０ａ，３０ｂの他端を回り込んで連結するＣ字状の連結部３０ｃとを有し、装着空間１７ｅに装着されている。
【００３４】
蓋部材３１は、中心にプッシュボタン３２を軸方向移動自在に支持する貫通孔３１ａが形成された有底筒状の部材である。蓋部材３１の筒部３１ｂの内周面には、ボス部１７の雄ねじ部１７ａに螺合する雌ねじ部３１ｃが形成されている。蓋部材３１の底部３１ｄの底面内側とボス部１７の先端面から離反して配置され、両者の間には装着空間１７ｅが形成されている。蓋部材３１の底部３１ｄの外側面は、球面状に湾曲している。
【００３５】
プッシュボタン３２は、スプール３をスプール軸２から取り外す際に使用されるボタンである。プッシュボタン３２は、図４及び図６に示すように、蓋部材３１の中心から外方に露出する押圧操作部３２ａと、押圧操作部３２ａに軸方向に突出して設けらればね部材３０の１対の係止部３０ａ，３０ｂの間に先端が挿入されかつ軸方向の移動により１対の係止部３０ａ，３０ｂの間隔を拡げるようにスプール軸２を挟んで配置される先細りの１対のテーパ部３２ｂとを有している。テーパ部３２ｂは、周方向の両側に先細りのテーパ面３２ｇが形成されている。また、プッシュボタン３２は、１対のテーパ部３２ｂの間にテーパ部３２ｂと周方向に間隔を隔てて配置された１対のガイド部３２ｃとを有している。プッシュボタン３２は、押圧操作部３２ａの押圧操作によりスプール軸２の第１環状溝２ｂとばね部材３０との係合を解除するためのものである。
【００３６】
押圧操作部３２ａは、蓋部材３１の貫通孔３１ａに軸方向移動自在に装着され少なくとも一部、具体的に先端部スプール軸２の先端部の外周側に配置される筒状部３２ｅと、前記筒状部の一端に一体形成され蓋部材３１の貫通孔３１ａから外部に露出する底部３２ｆとを有している。この、筒状部３２ｅの一部を切り欠いてテーパ部３２ｂ及びガイド部３２ｃが形成されている。なお、テーパ部３２ｂの長さは、筒状部３２ｅ（ガイド部３２ｃ）の長さより僅かに短い。したがって、テーパ部３２ｂ及びガイド部３２ｃは、筒状部３２ｅの機能、すなわち、蓋部材３１に軸方向移動自在に支持される機能も有している。筒状部３２ｅの先端部には、径方向外方に突出して蓋部材３１から外方にプッシュボタン３２が抜けないようにするための抜け止め突起を３２ｄが形成されている。
【００３７】
ばね配置部材としての滑り軸受２１は、たとえば、ポリアセタール樹脂などの硬質で滑りがよい合成樹脂製のブッシュである。滑り軸受２１は、図６に示すように、外周面にボス部１７の先端面に接触する鍔部２１ａを有するとともに内周面にスプール軸２の軸受支持部２ｄに接触する接触面２１ｂを有している。鍔部２１ａ背面側の直径上の２箇所には、ボス部１７の第１係止溝１７ｂに係合する回り止め突起２１ｃが形成されている。この回り止め突起２１ｃが第１係止溝１７ｂに係合することにより、滑り軸受２１がスプール３に回転不能に装着される。
【００３８】
滑り軸受２１には、プッシュボタン３２を通過可能にするための１対の第１通過孔２１ｄ及び第２通過孔２１ｅが軸方向に貫通して形成されている。それぞれの通過孔２１ｄ，２１ｅは、直径上に配置されており、第１通過孔２１ｄは、抜け止め突起３２ｄを含む１対のテーパ部３２ｂが通過可能な孔であり、第２通過孔２１ｅは、抜け止め突起３２ｄを含む１対のガイド部３２ｃが通過可能な孔である。第１通過孔２１ｄは、テーパ部３２ｂが通過可能な円弧状の孔である。第２通過孔２１ｅは、ガイド部３２ｃの周方向の両側面に近接可能に形成された円弧状の孔であり、プッシュボタン３２の周方向位置を規制して回り止めする機能を有している。第１通過孔２１ｄの内周部側及び第２通過孔２１ｅの周方向の両側には、プッシュボタン３２に向けて軸方向に突出する第１及び第２位置決め突起２１ｆ，２１ｇがそれぞれ形成されている。第１及び第２位置決め突起２１ｆ，２１ｇは、ばね部材３０の周方向位置を規制するためのものである。具体的には、第２通過孔２１ｅにより回り止めされたプッシュボタン３２のテーパ部３２ｂが係止部３０ａ，３０ｂの間に配置されるように、第１及び第２位置決め突起２１ｆ，２１ｇは、ばね部材３０の周方向位置を規制する。
【００３９】
このような、第１位置決め突起２１ｆと、それと間隔を隔てて配置された第２位置決め突起２１ｇとの間にばね部材３０の１対の係止部３０ａ，３０ｂを配置することにより、プッシュボタン３２のガイド部３２ｃを第２通過孔２１ｅに挿入するだけで、テーパ部３２ｂが１対の係止部３０ａ，３０ｂ間に配置されるようになる。このため、組立時に、ばね部材３０とプッシュボタン３２の周方向位置を考慮して組み込む必要がなくなり、ワンタッチ着脱機構６の組立作業が容易になる。
【００４０】
また、このような構成のワンタッチ着脱機構６では、１対のテーパ部３２ｂがばね配置部材である滑り軸受２１を貫通できるように滑り軸受２１に第１通過孔２１ｄを形成したので、第１通過孔２１ｄを貫通してテーパ部３２ｂを配置することにより、滑り軸受２１とプッシュボタン３２とを軸方向に重ねて配置することができ、プッシュボタン３２によるワンタッチ着脱機構６の軸方向長さを短くすることができる。
【００４１】
さらに、テーパ部３２ｂをプッシュボタン３２の筒状部３２ｅに形成したので、筒状部と別にテーパ部を設ける構成に比べてプッシュボタン３２の軸方向長さが短くなり、プッシュボタン３２によるワンタッチ着脱機構６の軸方向長さをさらに短くすることができる。
【００４２】
〔ドラグ機構の構成〕
ドラグ機構４は、図３及び図４に示すように、内輪に回転不能に係止される回転円板４０と、リール本体１にスプール軸２に沿う軸方向に移動自在かつ回転不能に装着され回転円板４０に圧接可能な、たとえば２枚の制動円板４１，４２と、リール本体１に軸方向に移動可能に設けられ制動円板４１，４２を回転円板４０側に圧接するための圧接機構４３とを有している。また、ドラグ機構４は、制動円板４１と逆側で回転円板４０に圧接可能なドラグリング４４と、ドラグリング４４に圧接可能な耳付きリング４５と、耳付きリング４５を抜け止めする止め輪４６とを有している。
【００４３】
回転円板４０と制動円板４１との間には、両者の相対回転、つまりドラグ作動時に発音する第１発音機構４７が設けられている。また、圧接機構４３には、ドラグ力を調整する際に発音する第２発音機構４８が設けられている。
【００４４】
回転円板４０は、たとえばステンレス等の金属製の部材であり、内周部に内輪２６の係止突起２６ａに係止される１対の係止溝４０ａを有している。また、回転円板４０の径方向の中間部には、リング状の凹部４０ｂが形成されている。この凹部４０ｂには、第１発音機構４７を構成するリング状の第１発音部材６０が回転不能に装着されている。
【００４５】
制動円板４１は、たとえばステンレス等の金属製の部材であり、径方向の中間部には、周方向に等間隔に配置されたたとえば３つの丸孔４１ａが形成されている。制動円板４２は、たとえば炭素繊維に熱硬化性樹脂を含浸させた繊維強化樹脂からなり、径方向の中間部には、周方向に等間隔に配置されたたとえば３つの丸孔４２ａが形成されている。両丸孔４１ａ，４２ａは同じ位置に形成されている。
【００４６】
ドラグリング４４は、たとえば炭素繊維に熱硬化性樹脂を含浸させた繊維強化樹脂の部材である。耳付きリング４５は、たとえばステンレス等の金属製の部材であり、ドラグ収納部１０ｂに形成されたスリット１０ｃ，１０ｃに係合する径方向に突出する耳部を外周部に有する耳付き座金である。止め輪４６は、ドラグ係止溝１０ｄに装着されるたとえばＣ形止め輪である。止め輪４６は、耳付きリング４５を抜け止めするとともに、圧接機構４３により押圧された力を受けるために設けられている。
【００４７】
このようなドラグリング４４と、耳付きリング４５とを回転円板４０に対して追加することによりドラグ力を大きくすることができる。したがって、大きなドラグ力が必要な大型の片軸受リールには、ドラグリング４４及び耳付きリング４５をドラグ機構４に追加し、それより小さいドラグ力でよい中小型の片軸受リールでは、回転円板４０と２枚の制動円板４１，４２とでドラグ機構を構成することにより、複数の形式の片軸受リールのドラグ機構の部品の共通化を図ることができる。
【００４８】
圧接機構４３は、操作つまみ５１と、操作つまみ５１により押圧される３枚の皿ばね５２と、皿ばねにより押圧されるワッシャ５３と、ワッシャ５３により押圧される、たとえば３本の押圧ピン５４（図４では１本のみ図示）とを有している。なお、図４では、スプール軸芯Ｘの上側にドラグ解放状態を、下側に最大ドラグ状態を示している。
【００４９】
操作つまみ５１は、縁付き皿状のつまみ部５１ａと、つまみ部５１ａの中心に一体形成されたボス部５１ｂとを有している。つまみ部５１ａの径方向の中間部背面には、第２発音機構４８の第２発音部材６５がねじにより回転不能に固定されている。ボス部５１ｂは、スプール軸２の先端に形成された雄ねじ部２ａに螺合している。操作つまみ５１は、スプール軸２の基端面に装着された抜け止めボルト５５により抜け止めされている。
【００５０】
３枚の皿ばね５２は、ボス部５１ｂの外周側に軸方向に並べて装着されており、操作つまみ５１の回転により伸縮してドラグ力を細かく調整するために設けられている。ワッシャ５３は、皿ばね５２の付勢力を押圧ピン５４に伝達するために設けられている。押圧ピン５４は、先端側が小径の段付きピンであり、側板１０に周方向に等間隔に３カ所に形成された貫通孔１０ｆに大径部分が軸方向移動自在に装着されている。押圧ピン５４の先端は、制動円板４１，４２に形成された丸孔４１ａ，４２ａに挿通されており、両円板４１，４２をリール本体１に対して回転不能に係止している。押圧ピン５４の段差部分は制動円板４２に当接している。これにより制動円板４２は押圧ピン５４により押圧される。皿ばね５２のバネ力を操作つまみ５１の回動操作により調整することで、制動円板４１，４２と回転円板４０とドラグリング４４と耳付きリング４５との摩擦力が変化しドラグ力を調整できる。
【００５１】
第１発音機構４７は、第１発音部材６０と、第１発音部材６０への衝突を繰り返す第１発音ピン６１と、第１発音ピン６１を第１発音部材６０側に押圧する第１コイルバネ６２とを有している。第１発音機構４７は、制動円板４１，４２と回転円板４０とが相対回転するドラグ作動時に発音する。第１発音部材６０は、前述のように回転円板４０に会見不能に装着されたリング状の部材であり、その第１発音ピン６１側の側面には、周方向に間隔を隔てて多数の第１発音凹部６０ａが形成されている。第１発音ピン６１は、側板１０の内側面に形成された凹部１０ｅに軸方向移動自在に装着されている。第１発音ピン６１は頭部が球状で小径であり、ドラグ作動時に第１発音部材６０の第１発音凹部６０ａで衝突を繰り返し、細かなクリック音を発する。
【００５２】
第２発音機構４８は、第１発音機構４７と略同様な構成であり、第２発音部材６５と、第２発音ピン６６と、第２コイルバネ６７とを有している。第２発音機構４８は、操作つまみ５１が回転すると発音する。第２発音部材６５にも周方向に間隔を隔てて多数の第２発音凹部６５ａが形成されている。
【００５３】
次に動作について説明する。
【００５４】
図示していないが、スプール３の糸巻き胴部１５の外周には釣り糸が巻かれる。釣り糸を巻き取る際には、ハンドル１６ｃを操作してスプール３を回転させる。スプール３はスプール軸２に対して相対回転する。このとき、ローラクラッチ２３は遮断されるので、外輪２５は自由に回転してスプール３の巻取り方向の回転は許容される。このため、スプール３はスムーズに回転する。
【００５５】
スプール３から釣り糸を繰り出す際には、スプール３は前記とは逆方向に回転する。このとき、ローラクラッチ２３は、連結されるので、内輪２６も外輪２５とともに回転しようとする。しかし、内輪２６は、回転円板４０を介して制動円板４１，４２，耳付きリング４５により制動されているので、回転力に対して皿ばね５２により設定された抵抗力（ドラグ力）が作用している。このため、スプール３が必要以上に回転して釣り糸が過剰に引き出されるのを防止でき、糸からみを避けることができる。
【００５６】
また、このような釣り糸の繰り出し時には、回転円板４０はスプール３とともに回転し、制動円板４１，４２、耳付けリング４５はその回転が禁止されているので、両円板４０，４１が相対回転し第１発音機構４７が発音する。
【００５７】
次に、スプール３をスプール軸２から取り外す際の動作について説明する。
【００５８】
スプール３をスプール軸２から取り外すときには、プッシュボタン３２の押圧操作部３２ａをスプール軸２に向かって押圧する。これにより、テーパ部３２ｂがばね部材３０の係止部３０ａ，３０ｂの間隔を拡げてスプール軸２の第１環状溝２ｂとの係合を解除し、スプール３を着脱可能な状態にする。プッシュボタン３２を押圧した状態でスプール３を先端側（図２右側）に引っ張り出すと、スプール軸２からスプール３を取り外すことができる。また、１対の係止部３０ａ，３０ｂがテーパ部３２ｂによって拡げられると、１対の係止部３０ａ，３０ｂは互いに近づく方向にテーパ部３２ｂに力を作用させるので、押圧操作部３２ａは押圧方向と逆方向（図２右方）に付勢される。このため、押圧操作を止めると、プッシュボタン３２は先端側に移動し、１対の係止部３０ａ，３０ｂは係止可能状態に戻る。このとき、ワンウェイクラッチ２３及び玉軸受２２は、スプール軸２上に残る。一方、滑り軸受２１はスプール３とともにスプール軸２から取り外される。この状態を図７に示す。
【００５９】
スプール３をスプール軸２に装着する際には、スプール軸２の先細りの頭部２ｃによりばね部材３０の係止部３０ａ，３０ｂが拡げられ、ばね部材３０が第１環状溝２ｂに位置すると、弾性により第１環状溝２ｂ内に係止部３０ａ，３０ｂがはまり込んでスプール３がスプール軸２に対して抜け止めされる。
【００６０】
スプール軸２からスプール３を取り外せば、ローラクラッチ２３の装着方向を逆側に変更することで、糸巻方向を逆方向に変更できる。この場合、まず、Ｏリング２８を内輪２６の環状凹部２６ｂから外す。これにより、外輪２５及びローラ２７が一体で内輪２６から取り外し可能になる。この状態で外輪２５及びローラ２７を内輪２６から外して逆転させ再度内輪２６に装着する。そして、Ｏリング２８を装着して外輪２５を抜け止めするこれにより、簡単に糸巻方向を逆方向に変更できる。ここでは、ローラクラッチ２３の外輪２５の抜け止め用の部材として弾性体製のリング部材を用いたので、リング部材の着脱が容易である。このため、ローラクラッチ２３の装着方向を簡単に変更できる。
【００６１】
〔他の実施形態〕
（ａ）  前記実施形態では、釣り用リール部品として片軸受リールのスプールをレンジしたが、釣り用リール部品は、これに限定されず、軸部材に着脱自在に装着されるものではあればどのようなものでもよい。たとえば、スプール軸に着脱自在に装着されるスピニングリールのスプールやハンドル軸に着脱自在に装着される釣り用リールのハンドル把手であってもよい。
【００６２】
図８に、スピニングリールのスプールに本発明を適用した場合の構成を示す。
【００６３】
スプール１０４は、図８に示すように、ロータ（図示せず）の第１アーム部と第２アーム部との間に配置されており、スプール軸１０８の先端にワンタッチで着脱自在かつ回転不能に装着されている。スプール軸１０８は、先端に形成された先細りの頭部１０８ａと、頭部１０８ａより奥側（図８右側）に形成された環状溝１０８ｂとを有している。
【００６４】
スプール１０４は、スプール本体１０７と、ワンタッチ着脱機構１１３とを有している。スプール本体１０７は、釣り糸が外周に巻き付けられる糸巻胴部１０４ａと、糸巻胴部１０４ａの後端部に一体成形された筒状のスカート部１０４ｂと、糸巻胴部１０４ａの前部に糸巻胴部１０４ａより大径に形成された前フランジ部１０４ｃとを有している。スプール本体１０７は、たとえばアルミニウム合金製、マグネシウム合金製、ステンレス合金製などの金属やポリアミド系合成樹脂などの合成樹脂製のものである。
【００６５】
スプール本体１０７の中心には、スプール軸１０８が貫通する貫通孔１０７ａが形成され、スプール軸１０８が貫通する前端面には、貫通孔１０７ａと同芯に筒状の突出部１０７ｅが形成されており、その内部にワンタッチ着脱機構１１３を装着するための装着空間１０７ｂが形成されている。突出部１０７ｅの内周面には、後述する蓋部材１３１を装着するための雌ねじ部１０７ｆが形成されている。貫通孔１０７ａの後端には、径方向に沿って回り止め溝１０７ｃが形成されている。回り止め溝１０７ｃには、スプール軸１０８に径方向に沿って形成されたピン孔１０８ｃに装着された回り止めピン１１４が係止されている。この回り止め溝１０７ｃと回り止めピン１１４との係合によりスプール１０４がスプール軸１０８に対して回転不能になっている。
【００６６】
ワンタッチ着脱機構１１３は、スプール軸１０８の環状溝１０８ｂに係止される弾性線材製のばね部材１３０と、ばね部材１３０を抜け止めするために装着空間１０７ｂを覆うように突出部１０７ｅにねじ込み固定された蓋部材１３１と、蓋部材１３１に軸方向移動自在に装着されたプッシュボタン１３２と、ばね部材１３０を蓋部材１３１との間に配置するためのばね配置部材１２１とを有している。ばね配置部材１２１は、スプール本体１０７に回転不能に装着されている。
【００６７】
ワンタッチ着脱機構１１３を構成するばね部材１３０及びプッシュボタン１３２は、前記実施形態と同様なため説明を省略する。蓋部材１３１は、中心にプッシュボタン１３２を軸方向移動自在に支持する貫通孔１３１ａが形成された有底筒状の部材である。蓋部材１３１は、突出部１０７ｅの内周面に螺合する雄ねじ部１３１ｂを有する筒状部１３１ｃを有している。蓋部材１３１の外周部は、前フランジ部１０４ｃの前面を覆うように形成されている。
【００６８】
ばね配置部材１２１は、ばね部材１３０を装着空間１０７ｂに配置するために設けられている。ばね配置部材１２１には、プッシュボタン１３２のテーパ部及びガイド部が通過可能な第１及び第２通過孔が前記実施形態と同様に形成されている。また、第１及び第２位置決め突起も前記実施形態と同様に形成されている。
【００６９】
このような実施形態においても、前記実施形態と同様にワンタッチ着脱機構１１３の軸方向長さを短くすることができる。
【００７０】
（ｂ）前記実施形態では、筒状部にテーパ部を形成したが、筒状部と別にテーパ部を設けてもよい。たとえば、筒状部の内周側に別の筒状部分を設け、その筒状部分を切り欠いてテーパ部を形成してもよい。さらにその筒状部分にガイド部を形成してもよい。この場合にも、ばね配置部材に第１通過孔を設ける必要があるのは言うまでもない。
【図面の簡単な説明】
【００７１】
【図１】本発明の一実施形態による片軸受リールの正面図。
【図２】その片軸受リールの側断面図。
【図３】片軸受リールの分解斜視図。
【図４】図２の要部の拡大断面図。
【図５】スプールの背面図。
【図６】ワンタッチ着脱機構の分解斜視図。
【図７】スプールを外した状態の図２に相当する図。
【図８】他の実施形態の図２に相当する図。
【符号の説明】
【００７２】
１  リール本体
２  スプール軸（軸部材の一例）
２ｂ  第１環状溝
３，１０４  スプール（釣り用リール部品の一例）
５，１０７  スプール本体（部品本体の一例）
６，１１３  ワンタッチ着脱機構
１７ｄ  貫通孔（貫通部の一例）
１７ｅ  装着空間
２１  滑り軸受（ばね配置部材の一例）
２１ｄ  第１通過孔
２１ｅ  第２通過孔
２１ｆ，２１ｇ  第１及び第２位置決め突起
３０，１３０  ばね部材
３０ａ，３０ｂ  係止部
３０ｃ  連結部
３１，１３１  蓋部材
３２，１３２  プッシュボタン
３２ａ  押圧操作部
３２ｂ  テーパ部
３２ｃ  ガイド部
３２ｄ  抜け止め突起
３２ｅ  筒状部
３２ｆ  底部
【図１】
0004785448.tif 000002
【図２】
0004785448.tif 000003
【図３】
0004785448.tif 000004
【図４】
0004785448.tif 000005
【図５】
0004785448.tif 000006
【図６】
0004785448.tif 000007
【図７】
0004785448.tif 000008
【図８】
0004785448.tif 000009